(57)【要約】  フィルタハウジング及び濾材の端部に係合するように構成された装置は、エンドキャップ及び少なくとも１つの付勢部分を含む。エンドキャップは、第１の軸方向面、前記第１の軸方向面の反対側に配置された第２の軸方向面、及び、第１及び第２の軸方向面に対して横方向の半径方向外側面を含む。第１の軸方向面は、濾材の端部に係合するように構成される。少なくとも１つの付勢部分は、エンドキャップと一体形成された近位端及び半径方向外側面の半径方向外側に延びる遠位端を含む。【選択図】図１Ａ
2020505223.tif 000002
【特許請求の範囲】
【請求項１】
フィルタハウジング（７５）及び濾材（１２、１１２）の端部に係合するように構成された装置であって、
第１の軸方向面（３８、１３８）と、前記第１の軸方向面（３８、１３８）の反対側に配置された第２の軸方向面（４０、１４０）とを有するエンドキャップ（１６、１１６）であって、前記第１の軸方向面は、前記濾材（１２、１１２）の前記端部に係合するように構成される、エンドキャップ（１６、１１６）と、
前記エンドキャップ（１６、１１６）と一体形成された近位端（１８P、１１８P）と、半径方向外側面（４８、１４８）の半径方向外側に延在する遠位端（１８D、１１８D）とを有する少なくとも１つの付勢部分（１８、１１８）と、
を備える、装置。
【請求項２】
前記エンドキャップ（１６、１１６）及び前記少なくとも１つの付勢部分（１８、１１８）は、１つの材料（Ｍ１）から形成される、請求項１に記載の装置。
【請求項３】
前記材料は、金属又はプラスチックである、請求項２に記載の装置。
【請求項４】
前記エンドキャップ（１６、１１６）及び前記少なくとも１つの付勢部分（１８、１１８）は、第１の材料（Ｍ１）及び第２の材料（Ｍ２）から形成される、請求項１に記載の装置。
【請求項５】
前記第１の材料（Ｍ１）は、金属及びプラスチックのうちの一方を含み、前記第２の材料（Ｍ２）は、金属及びプラスチックのうちの他方を含む、請求項４に記載の装置。
【請求項６】
前記第２の材料（Ｍ２）は、前記少なくとも１つの付勢部分（１８、１１８）のコア部材を形成し、前記少なくとも１つの付勢部分（１８、１１８）の長さ（Ｌ18、Ｌ118）の少なくとも一部に沿って延び、前記第１の材料（Ｍ１）は、前記第１の材料（Ｍ１）が前記エンドキャップ（１６、１１６）及び前記少なくとも１つの付勢部分（１８、１１８）の両方の少なくとも一部を定めるように、前記第２の材料（Ｍ２）を覆うように形成される外側体を形成する、請求項４に記載の装置。
【請求項７】
前記第２の材料（Ｍ２）は、さらに、前記少なくとも１つの付勢部分（１８、１１８）の前記長さ（Ｌ18、Ｌ118）の一部から、前記エンドキャップ（１６、１１６）の厚さ（Ｔ36、Ｔ136）の一部の中に延びる、請求項６に記載の装置。
【請求項８】
前記エンドキャップ（１６、１１６）は、環状体を含み、前記第１の軸方向面（３８、１３８）は、軸方向上側面であり、前記第２の軸方向面（４０、１４０）は、軸方向下側面である、請求項１に記載の装置。
【請求項９】
前記少なくとも１つの付勢部分（１８、１１８）は、前記エンドキャップ（１６、１１６）の前記軸方向下側面（４０、１４０）から一体的に延びる、請求項８に記載の装置。
【請求項１０】
前記少なくとも１つの付勢部分（１８、１１８）は、６つの付勢部分（１８ａ、１８ｂ、１８ｃ、１８ｄ、１８ｅ、１８ｆ）を含む、請求項９に記載の装置。
【請求項１１】
前記６つの付勢部分（１８）の隣接した付勢部分（１８ａ〜１８ｆ）は、約６０°の角度（θ）で角度オフセットする、請求項１０に記載の装置。
【請求項１２】
前記少なくとも１つの付勢部分（１８、１１８）は、１４個の付勢部分（１１８ａ、１１８ｂ、１１８ｃ、１１８ｄ、１１８ｅ、１１８ｆ、１１８ｇ、１１８ｈ、１１８ｉ、１１８ｊ、１１８ｋ、１１８ｌ、１１８ｍ、１１８ｎ）を含む、請求項９に記載の装置。
【請求項１３】
前記１４個の付勢部分（１１８ａ、１１８ｂ、１１８ｃ、１１８ｄ、１１８ｅ、１１８ｆ、１１８ｇ、１１８ｈ、１１８ｉ、１１８ｊ、１１８ｋ、１１８ｌ、１１８ｍ、１１８ｎ）の各付勢部分（１１８ａ〜１１８ｎ）は、約２５°の角度（θ）で隣接した付勢部分から角度オフセットする、請求項１２に記載の装置。
【請求項１４】
前記少なくとも１つの付勢部分（１８、１１８）は、近位端（１８P、１１８P）、遠位端（１８D、１１８D））、軸方向上側面（１８U、１１８U）、軸方向下側面（１８L、１１８L）、第１の側面（１８S1、１１８S1）、及び第２の側面（１８S2、１１８S2）によって定められる、請求項９に記載の装置。
【請求項１５】
前記少なくとも１つの付勢部分（１８ａ〜１８ｆ）の前記近位端（１８P）は、前記エンドキャップ（１６）の前記軸方向下側面（４０）から一体的に延びる、請求項１４に記載の装置。
【請求項１６】
前記少なくとも１つの付勢部分（１８）は、凹状部分（１８CC）と凸状部分（１８CV）とを有する正弦波形状によって定められる、請求項１に記載の装置。
【請求項１７】
前記凹状部分（１８CC）は、近位端（１８CCP）と遠位端（１８CCD）とを含み、前記凸状部分（１８CV）は、近位端（１８CVP）と遠位端（１８CVD）とを含み、前記凹状部分（１８CC）の前記近位端（１８CCP）は、前記エンドキャップ（１６）の前記軸方向下側面（４０）と一体でありかつそこから離れて直接延び、前記凸状部分（１８CV）の前記近位端（１８CVP）は、前記凹状部分（１８CC）の前記遠位端（１８CCD）と一体であり、そこから離れて直接延び、前記凸状部分（１８CV）の前記遠位端（１８CVD）は、前記少なくとも１つの付勢部分（１８ａ〜１８ｆ）の末端であり、前記少なくとも１つの付勢部分の前記凹状部分（１８CC）の前記近位端（１８CCP）は、前記少なくとも１つの付勢部分（１８）の前記近位端（１８P）であり、各フィルタハウジング係合部分（１８ａ〜１８ｆ）の前記凸状部分（１８CV）の前記遠位端（１８CVD）は、前記少なくとも１つの付勢部分（１８）の前記遠位端（１８D）である、請求項１６に記載の装置。
【請求項１８】
前記少なくとも１つの付勢部分（１８）の前記軸方向上側面（１８U）の少なくとも一部は、撓み制限部分（５４）を含み、前記撓み制限部分（５４）は、前記少なくとも１つの付勢部分（１８）の長さ（Ｌ18）の少なくとも一部に沿って延びる長さ（Ｌ54）によって定められる、請求項１６に記載の装置。
【請求項１９】
前記撓み制限部分（５４）の各々の前記長さ（Ｌ54）は、前記少なくとも１つの付勢部分（１８）の前記凹状部分（１８CC）の長さ（ＬCC）の少なくとも一部に沿って延びる、請求項１８に記載の装置。
【請求項２０】
前記撓み制限部分（５４）は、さらに、幅（Ｗ54）及び厚さ（Ｔ54）によって定められ、前記撓み制限部分（５４）の各々の前記幅（Ｗ54）は、前記少なくとも１つの付勢部分（１８）の幅（Ｗ18）の約半分にほぼ等しく、前記撓み制限部分（５４）の各々の前記厚さ（Ｔ54）は、前記撓み制限部分（５４）の各々が前記少なくとも１つの付勢部分（１８）の前記凹状部分（１８CC）の前記長さ（ＬCC）の少なくとも一部に沿って延びる場合に前記撓み制限部分（５４）の各々の前記長さ（Ｌ54）に沿ってテーパー状になる一定ではない厚さによって定められる、請求項１８に記載の装置。
【請求項２１】
前記一定ではない厚さによって定められた前記撓み制限部分（５４）の各々の前記厚さ（Ｔ54）は、前記少なくとも１つの付勢部分（１８）の前記凹状部分（１８CC）の前記近位端（１８CCP）近傍の最大厚さ、及び前記少なくとも１つの付勢部分（１８）の前記凹状部分（１８CC）の前記遠位端（１８CCD）近傍の最小厚さを含む、請求項２０に記載の装置。
【請求項２２】
円周方向スカート部分（４６、１４６）は、前記軸方向上側面（３８、１３８）から離れて軸方向に延び、前記円周方向スカート部分（４６、１４６）は、半径方向外側面（４８、１４８）、半径方向内側面（５０、１５０）、及び前記半径方向外側面（４８、１４８）を前記半径方向内側面（５０、１５０）に接続する軸方向面（５２、１５２）によって定められる、請求項１４に記載の装置。
【請求項２３】
前記少なくとも１つの付勢部分（１８、１１８）は、前記エンドキャップ（１６、１１６）の前記軸方向下側面（４０、１４０）の周りに円周方向に配置された複数の付勢部分を含み、前記付勢部分（１８、１１８）の各々の前記近位端（１８P、１１８P）は、前記エンドキャップ（１６、１１６）の軸方向中心から半径方向に第１の半径方向距離（Ｒ１）で離間し、前記付勢部分（１８、１１８）の各々の前記遠位端（１８D、１１８D）は、前記エンドキャップ（１６、１１６）の前記軸方向中心から半径方向に第２の半径方向距離（Ｒ２）で離間し、前記第２の半径方向距離（Ｒ２）は、前記円周方向スカート部分（４６、１４６）の前記半径方向外側面（４８、１４８）を越えて半径方向に延びる、請求項２２に記載の装置。
【請求項２４】
前記少なくとも１つの付勢部分（１１８）の前記近位端（１１８P）は、前記エンドキャップ（１１６）の前記軸方向下側面（１４０）から一体的に延びるリング部分（１１７）から一体的に延びる、請求項１４に記載の装置。
【請求項２５】
前記少なくとも１つの付勢部分（１１８）の前記第１の側面（１１８S1）及び前記第２の側面（１１８S2）は、略弓形形状によって定められ、前記少なくとも１つの付勢部分の第１の側面（１１８S1）は、隣接した付勢部分の第２の側面（１１８S2）に接続されて集合的に凹面（１１９）を定める、請求項２４に記載の装置。
【請求項２６】
前記エンドキャップ（１６、１１６）は、前記軸方向上側面（３８、１３８）と前記軸方向下側面（４０、１４０）との間に延びる厚さ（Ｔ36、Ｔ136）によって定められる、請求項２に記載の装置。
【請求項２７】
前記エンドキャップ（１６、１１６）は、前記軸方向上側面（３８、１３８）と前記軸方向下側面（４０、１４０）との間に延びる厚さ（Ｔ36、Ｔ136）を貫通して延びる通路を形成しない、請求項２６に記載の装置。
【請求項２８】
前記エンドキャップ（１６）の前記軸方向下側面（４０、１４０）は、前記エンドキャップ（１６、１１６）の前記軸方向上側面（３８）から延びる環状ボス（４４、１４４）を形成する環状凹部（４２、１４２）を定める、請求項２に記載の装置。
【請求項２９】
前記第２の軸方向面（４０、１４０）は、前記凹部（４２、１４２）から半径方向外側に配置された半径方向表面（４８、１４８）を定める、請求項２８に記載の装置。
【請求項３０】
前記近位端（１８P、１１８P）は、前記凹部（４２、１４２）から半径方向外側かつ前記半径方向表面（４８、１４８）から半径方向内側に配置される、請求項２９に記載の装置。
【請求項３１】
半径方向内側面（２４、１２４）、半径方向外側面（２６、１２６）、軸方向上側面（２８、１２８）、及び軸方向下側面（３０、１３０）によって定められた濾材（１２、１１２）の管状体であって、前記半径方向内側面（２４、１２４）は、濾材（１２、１１２）の前記管状体を貫通して延びる通路（２２、１２２）を定める、濾材（１２、１１２）の管状体と、
前記濾材（１２、１１２）の前記管状体の前記軸方向下側面（３０、１３０）に隣接して配置されたエンドキャップ（１６、１１６）であって、前記エンドキャップ（１６、１１６）は、本体部（３６、１３６）と付勢部分（１８、１１８）とを含み、前記本体部（３６、１３６）は、第１の軸方向面（３８、１３８）と、前記第１の軸方向面（３８、１３８）の反対側に配置された第２の軸方向面（４０、１４０）と、前記第１の軸方向面（３８、１３８）及び前記第２の軸方向面（４０、１４０）に対して横方向の半径方向外側面（４８、１４８）を有し、前記第１の軸方向面（３８、１３８）は、前記濾材（１２、１１２）の前記軸方向下側面（３０、１３０）に係合するように構成される、エンドキャップ（１６、１１６）と、
前記エンドキャップ（１６、１１６）と一体形成された近位端（１８P、１１８P）と、前記半径方向外側面（４８、１４８）の半径方向外側に延びる遠位端（１８D、１１８D）とを有する少なくとも１つの付勢部分（１８、１１８）であって、前記少なくとも１つの付勢部分（１８、１１８）は、前記エンドキャップ（１６、１１６）を付勢して前記濾材（１２、１１２）と係合するように構成される、少なくとも１つの付勢部分（１８、１１８）と、
を備える、フィルタ組立体（１０、１００）。
【請求項３２】
前記付勢部分（１８、１１８）は、前記エンドキャップ（１６、１１６）の本体（３６，１３６）の前記軸方向下側面（４０、１４０）から一体的に延びて、フィルタハウジング（７５）の空洞を定める内面（７６）に隣接して配置されるように寸法決めされかつ前記エンドキャップ（１６、１１６）に対して配置され、前記付勢部分（１８、１１８）は、前記フィルタハウジング（７５）の前記内面（７６）から軸方向距離（ＤA）で離れてフィルタ組立体（１０、１００）を付勢するようになっている、請求項３１に記載のフィルタ組立体（１０、１００）。
【請求項３３】
前記エンドキャップ（１６、１１６）の前記本体（３６、１３６）は、前記エンドキャップ（１６、１１６）の前記上側面（３８、１３８）と前記エンドキャップ（１６、１１６）の前記下側面（４０、１４０）との間に延びる厚さ（Ｔ36、Ｔ136）によって定められる、請求項３１に記載のフィルタ組立体（１０、１００）。
【請求項３４】
前記エンドキャップ（１６、１１６）の前記本体（３６、１３６）は、前記厚さ（Ｔ36、Ｔ136）を貫通して延びる通路を形成しない、請求項３３に記載のフィルタ組立体（１０、１００）。
【請求項３５】
前記エンドキャップ（１６、１１６）の前記本体（３６、１３６）の前記下側面（４０、１４０）は、前記エンドキャップ（１６、１１６）の前記本体（３６、１３６）の前記上側面（３８、１３８）から延びる環状ボス（４４、１４４）を形成する環状凹部（４２、１４２）を定め、前記環状ボス（４４、１４４）の半径方向内側面（５０、１５０）は、前記濾材（１２、１１２）の前記管状体の前記半径方向外側面（２６、１２６）の反対側に又はそれに隣接して配置される、請求項３１に記載のフィルタ組立体（１０、１００）。
【請求項３６】
前記環状ボス（４４、１４４）は、前記エンドキャップ（１６、１１６）の前記上側面（３８、１３８）が前記濾材（１２、１１２）の前記管状体の前記軸方向下側面（３０、１３０）に隣接して配置される場合に、前記濾材（１２、１１２）の前記管状体の前記軸方向下側面（３０、１３０）によって形成された下部通路（２２ｂ、１２２ｂ）のために前記濾材（１２、１１２）の前記管状体の下端部（３４、１３４）によって形成された前記通路（２２、１２２）内で少なくとも部分的に位置合わせされる、請求項３５に記載のフィルタ組立体（１０、１００）。
【発明の詳細な説明】
【技術分野】
【０００１】
本開示は、フィルタエンドキャップ及びフィルタエンドキャップを含むフィルタ組立体に関する。
【背景技術】
【０００２】
本技術分野において、流体が流体経路を通過するときに流体を濾過する様々なフィルタが知られている。フィルタは、一部分において、例えば、通過する油又は燃料などの不純物を流体から除去する濾材を含む。
【０００３】
大部分の用途において、フィルタ組立体又はこれに関連した濾材のいずれかは、流体経路の流れ制限に関する容認できないほど大きな抵抗物に発達する可能性を低減するために、定期的に交換する必要がある。
【０００４】
既知のフィルタは、様々な用途に容認可能であることは分かっているが、このような従来のフィルタは、それでも、全体的な性能及びコストを改善し得る改良が可能である。
【発明の概要】
【発明が解決しようとする課題】
【０００５】
従って、技術を進歩させる改良されたフィルタ及びこれを形成する方法を開発するニーズがある。
【課題を解決するための手段】
【０００６】
本開示の１つ態様は、フィルタハウジングと濾材の端部とに係合するように構成された装置を提供する。装置は、エンドキャップ及び少なくとも１つの付勢部分を含むことができる。エンドキャップは、第１の軸方向面、第１の軸方向面の反対側に配置された第２の軸方向面、及び第１及び第２の軸方向面に対して横方向の半径方向外側面を含むことができる。第１の軸方向面は、濾材の端部に係合するように構成することができる。少なくとも１つの付勢部分は、エンドキャップと一体形成された近位端と、半径方向外側面の半径方向外側に延びる遠位端とを含むことができる。
【０００７】
本開示の実施構造は、以下の随意的な特徴部の１又は２以上を含むことができる。例えば、エンドキャップ及び複数のフィルタハウジング係合部分は、１つの材料から形成することができる。一部の実施構造において、材料は、金属又はプラスチックである。
【０００８】
一部の実施例において、エンドキャップ及び少なくとも１つの付勢部分は、第１の材料及び第２の材料から形成される。
【０００９】
一部の実施構造において、第１の材料は、金属及びプラスチックのうちの一方を含む。第２の材料は、金属及びプラスチックのうちの他方を含むことができる。
【００１０】
一部の実施例において、第２の材料は、各付勢部分が複数の付勢部分の各付勢部分の長さの少なくとも一部に沿って延びるコア部材を形成する。第１の材料は、第２の材料を覆うように形成される外側体を形成することができ、第１の材料は、エンドキャップ及び複数の付勢部分の両方の少なくとも一部を定める。
【００１１】
一部の実施構造において、第２の材料は、複数の付勢部分の各付勢部分の長さの一部から、エンドキャップの環状体の厚さの一部の中にさらに延びる。
【００１２】
一部の実施例において、本体は、環状体である。第１の軸方向面は、軸方向上側面とすることができる。第２の軸方向面は、軸方向下側面とすることができる。
【００１３】
一部の実施構造において、複数の付勢部分は、エンドキャップの環状体の軸方向下側面から一体的に延びる。
【００１４】
一部の実施例において、複数の付勢部分は、６つの付勢部分を含む。
【００１５】
一部の実施構造において、複数の付勢部分の各隣接したバイアス一部は、約６０°の角度で角度オフセットする。
【００１６】
一部の実施例において、複数の付勢部分は、１４個の付勢部分を含む。
【００１７】
一部の実施構造において、複数の付勢部分の各隣接したバイアス一部は、約25°の角度で角度オフセットする。
【００１８】
一部の実施例において、複数の付勢部分の各付勢部分は、近位端、遠位端、軸方向上側面、軸方向下側面、第１の側面及び第２の側面によって定められる。
【００１９】
一部の実施構造において、複数の付勢部分の各付勢部分の近位端は、エンドキャップの環状体の軸方向下側面から一体的に延びる。
【００２０】
一部の実施例において、複数の付勢部分の各付勢部分は、凹状部分及び凸状部分を有する正弦波形状によって定められる。
【００２１】
一部の実施構造において、凹状部分は、近位端と遠位端とを含む。凸状部分は、近位端と遠位端とを含むことができる。凹状部分の近位端は、エンドキャップの環状体の軸方向下側面と一体であり、そこから離れて直接延びることができる。凸状部分の近位端は、凹状部分の遠位端と一体とあり、そこから離れて直接延びることができる。凸状部分の遠位端は、各付勢部分の末端とすることができる。各付勢部分の凹状部分の近位端は、複数の付勢部分の各付勢部分の近位端とすることができる。各付勢部分の凸状部分の遠位端は、複数の付勢部分の各付勢部分の遠位端とすることができる。
【００２２】
一部の実施例において、複数の付勢部分の各付勢部分の軸方向上側面の少なくとも一部は、撓み制限部分を含む。撓み制限部分は、複数の付勢部分の各付勢部分の長さの少なくとも一部に沿って延びる長さによって定めることができる。
【００２３】
一部の実施構造において、各撓み制限部分の長さは、複数の付勢部分の各付勢部分の凹状部分の長さの少なくとも一部に沿って延びる。
【００２４】
一部の実施例において、撓み制限部分は、さらに、幅及び厚さによって定められる。各撓み制限部分の幅は、複数の付勢部分の各付勢部分の幅の約半分とすることができる。各撓み制限部分の厚さは、各撓み制限部分が複数の付勢部分の各付勢部分の凹状部分の長さの少なくとも一部に沿って延びる場合に各撓み制限部分の長さに沿ってテーパー状になる一定ではない厚さによって定めることができる。
【００２５】
一部の実施構造において、一定ではない厚さによって定められた各撓み制限部分の厚さは、複数の付勢部分の各付勢部分の凹状部分の近位端近傍の最大厚さと、複数の付勢部分の各付勢部分の凹状部分の遠位端近傍の最小厚さとを含む。
【００２６】
一部の実施例において、円周方向スカート部分は、軸方向上側面から離れて軸方向に延びる。円周方向スカート部分は、半径方向外側面、半径方向内側面、及び半径方向外側面を半径方向内側面に接続する軸方向面によって定めることができる。
【００２７】
一部の実施構造において、複数の付勢部分は、エンドキャップの環状体の軸方向下側面の周りに円周方向に配置されている。複数の付勢部分の各付勢部分の近位端は、各々、エンドキャップの軸方向中心から半径方向に第１の半径方向距離で等距離に離間することができる。複数の付勢部分の各付勢部分の遠位端は、各々、エンドキャップの軸方向中心から半径方向に第２の半径方向距離で等距離に離間することができる。第２の半径方向距離は、円周方向スカート部分の半径方向外側面を越えて半径方向に延びることができる。
【００２８】
一部の実施例において、複数の付勢部分の各付勢部分の近位端は、エンドキャップの環状体の軸方向下側面から一体的に延びるリング部分から一体的に延びる。
【００２９】
一部の実施構造において、複数の付勢部分の各付勢部分の第１の側面及び第２の側面は、略弓形形状によって定められ、付勢部分の第１の側面は、隣接した付勢部分の第２の側面に接続されて集合的に凹面を定める。
【００３０】
一部の実施例において、環状体は、軸方向上側面と軸方向下側面との間に延びる厚さによって定められる。
【００３１】
一部の実施構造において、環状体は、軸方向上側面と軸方向下側面との間に延びる厚さを貫通して延びる通路を形成しない。
【００３２】
一部の実施例において、エンドキャップの環状体の軸方向下側面は、エンドキャップの環状体の軸方向上側面から延びる環状ボスを形成する環状凹部を定める。
【００３３】
本開示の別の態様は、フィルタ組立体を提供する。フィルタ組立体は、濾材の管状体、上部エンドキャップ、及び下部エンドキャップを含むことができる。濾材の管状体は、半径方向内側面、半径方向外側面、軸方向上側面、及び軸方向下側面によって定めることができる。半径方向内側面は、濾材の管状体を貫通して延びる通路を定めることができる。上部エンドキャップは、濾材の管状体の軸方向上側面に隣接して配置することができる。下部エンドキャップは、濾材の管状体の軸方向下側面に隣接して配置された下部エンドキャップとすることができる。エンドキャップは、第１の軸方向面及び第１の軸方向面の反対側に配置された第２の軸方向面によって定められた本体を含むことができる。複数の付勢部分は、エンドキャップの本体の第２の軸方向面から一体的に延びることができる。
【００３４】
本開示の実施構造は、以下の随意的な特徴部の１又は２以上を含むことができる。例えば、複数の付勢部分は、エンドキャップの本体の第２の軸方向面から一体的に延びて、フィルタハウジングの空洞を定める内面に隣接して配置されるように寸法決めされかつ下部エンドキャップに対して配置され、複数の付勢部分は、フィルタハウジングの内面から軸方向距離で離れてフィルタ組立体を付勢するようになっている。
【００３５】
一部の実施構造において、下部エンドキャップの本体は、下部エンドキャップの上面と下部エンドキャップの下面との間に延びる厚さによって定めることができる。
【００３６】
一部の実施例において、下部エンドキャップの本体は、厚さを貫通して延びる通路を形成しない。
【００３７】
一部の実施例において、エンドキャップの環状体の軸方向下側面は、エンドキャップの本体の軸方向上側面から延びる環状ボスを形成する環状凹部を定める。環状ボスの半径方向内側面は、濾材の管状体の半径方向外側面の反対側に又はそれに隣接して配置することができる。
【００３８】
一部の実施例において、環状成形ボスは、下部エンドキャップの軸方向上側面が濾材の管状体の軸方向下側面に隣接して配置される場合に、濾材の管状体の軸方向下側面によって形成された下部通路のために濾材の管状体の下端部によって形成された通路内で少なくとも部分的に位置合わせあれる。
【００３９】
本開示の１又は２以上の実施構造の詳細は、添付図面及び以下の説明において示される。他の態様、特徴及び利点は、明細書及び図面並びに特許請求の範囲から明らかとなるであろう。
【図面の簡単な説明】
【００４０】
【図１Ａ】ハウジング内に配置された例示的なフィルタ組立体の断面図である。
【図１Ｂ】ハウジング内に配置された別の例示的なフィルタ組立体の断面図である。
【図１Ｃ】ハウジング内に配置された別の例示的なフィルタ組立体の断面図である。
【図２】図１Ａのフィルタ組立体の例示的なエンドキャップの斜視図である。
【図３】図１Ａのフィルタ組立体の例示的なエンドキャップの拡大部分斜視図である。
【図４Ａ】図１Ａのフィルタ組立体の濾材及び例示的なエンドキャップの分解断面図である。
【図４Ｂ】図１Ａのフィルタ組立体の濾材及び例示的なエンドキャップの分解断面図である。
【図５Ａ】図４Ａの濾材及び例示的なエンドキャップの組立断面図である。
【図５Ｂ】図４Ｂの濾材及び例示的なエンドキャップの組立断面図である。
【図６】図２〜図３の例示的なエンドキャップの一部の斜視図である。
【図７】図６の例示的なエンドキャップの一部の側面図である。
【図８】図６の例示的なエンドキャップの一部の上面図である。
【図９】ハウジング内に配置された例示的なフィルタ組立体の断面図である。
【図１０】図９のフィルタ組立体の例示的なエンドキャップの斜視図である。
【図１１】図１０の例示的なエンドキャップの側面図である。
【図１２Ａ】図９のフィルタ組立体の濾材及び例示的なエンドキャップの分解断面図である。
【図１２Ｂ】図９のフィルタ組立体の濾材及び例示的なエンドキャップの分解断面図である。
【図１３Ａ】図１２Ａの濾材及び例示的なエンドキャップの組立断面図である。
【図１３Ｂ】図１２Ｂの濾材及び例示的なエンドキャップの組立断面図である。
【図１４】例示的なエンドキャップの斜視図である。
【図１５Ａ】例示的なエンドキャップの斜視図である。
【図１５Ｂ】図１５Ａのエンドキャップの上面斜視図である。
【図１６】例示的なエンドキャップの斜視図である。
【発明を実施するための形態】
【００４１】
様々な図面における同様の参照記号は、同様の要素を示す。
【００４２】
フィルタは、一部分において、例えば、通過する油又は燃料などの不純物を流体から除去する濾材を含む。フィルタ組立体は、上部エンドキャップ及び下部エンドキャップも含む。下部エンドキャップは、フィルタ組立体がハウジング内に固定される場合にばね力をも及ぼすことができる複数の付勢部分を一体的に備え、下部エンドキャップは、軸方向距離でハウジングの内面から離れて軸方向にフィルタ組立体を付勢することができる。
【００４３】
図１Ａを参照すると、例示的なフィルタ組立体は全体的に１０で示されている。フィルタ組立体１０は、濾材１２、上部エンドキャップ１４、及び下部エンドキャップ１６も含む。図１〜図３から分かるように、複数の付勢部分１８は、下部エンドキャップ１６から一体的に延びる。この点に関して、付勢部分１８の１又は２以上は、下部エンドキャップ１６に一体的に及び／又はモノリシック的に形成することができる。図４Ａ及び図５Ｂを参照すると、一部の実施例において、複数の付勢部分１８を一体的に含む下部エンドキャップ１６は、何らかの望ましい材料Ｍ１、Ｍ２（例えば、樹脂材料、金属材料など）から作製することができる。複数の付勢部分１８を含む下部エンドキャップ１６を形成する材料Ｍ１、Ｍ２は、ばね力を与えることができる可撓性材料から作製することができる。ばね力は、複数の付勢部分１８が表面（例えば、フィルタ組立体１０を収容するハウジング７５の内面７６（例えば、図１Ａ参照）など）に軸方向に係合しかつその表面に向かって軸方向に押された場合に、複数の付勢部分１８によって与えることができ、下部エンドキャップ１６は、複数の付勢部分１８が軸方向距離ＤA（例えば、図１Ａ参照）で係合する表面７６から離れてフィルタ組立体１０を軸方向に付勢するようになっている。この点に関して、本明細書では、付勢部分１８は「フィルタハウジング係合部分」及び／又は「フィルタハウジング係合部分１８」と呼ぶ場合がある。
【００４４】
図１Ａから分かるように、濾材１２は、例えば、管状体などの何らかの望ましい外形形状を含むことができる。フィルタ組立体１０は、随意的に濾材１２の管状体によって定められた通路２２内に配置された中心管体２０を含むことができる。通路２２は、濾材１２の管状体の半径方向内側面２４によって定められている。また、濾材１２の管状体は、半径方向外側面２６、軸方向上側面２８、及び軸方向下側面３０によって定められている。通路２２へのアクセスは、軸方向上側面２８によって形成された上部開口部２２ａ又は軸方向下側面３０によって形成された下部開口部２２ｂによって可能にされる。
【００４５】
軸方向上側面２８及び軸方向下側面３０の両方は、半径方向内側面２４を半径方向外側面２６に接続する。軸方向上側面２８、及び軸方向上側面２８から延びる半径方向内側面２４及び半径方向外側面２６の各々の一部は、概して管状体の上端３２を定める。軸方向下側面３０、及び軸方向下側面３０から延びる半径方向内側面２４及び半径方向外側面２６の各々の一部は、概して濾材１２の管状体の下端３４を定める。
【００４６】
中心管体２０は、通路２２内に配置することができ、濾材１２の管状体の半径方向内側面２４に隣接することができる。機能的に、中心管体２０は、濾材１２の管状体を強固にすることができる。中心管体２０は、複数の半径方向通路２０ａを含むこともできる。複数の半径方向通路２０ａは、半径方向流体流れ（例えば、流体流路ＦF2参照）が、（１）濾材１２の管状体の半径方向外側面２６から、（２）濾材１２の管状体の半径方向厚さ寸法部Ｔ12を通って、（３）濾材１２の管状体の半径方向内側面２４から流出して、（４）中心管体２０の複数の半径方向通路２０ａを通って、（５）濾材１２の管状体によって形成された通路２２に流入するのを可能にする。
【００４７】
図１Ａを参照すると、フィルタ組立体１０は、ハウジング７５内に配置されて示されている。ハウジング７５は、ねじ付き面８１によって定められた軸方向通路７９を有するナットプレート７７を含む。軸方向通路７９は、ナットプレート７７のドレーンバック防止バルブを定めることができる。一部の実施構造において、上部エンドキャップ１４は、流体封止された関係でナットプレート７７の部分８３（例えば、ドレーンバック防止バルブ）に接続されている。他の実施構造において、上部エンドキャップ１４は、ハウジング７５の支持部分（図示せず）に係合することができ、ナットプレート７７の部分８３によって支持されない。上述したように、下部エンドキャップ１６の複数のフィルタハウジング係合部分１８は、下部エンドキャップ１６が軸方向距離ＤAで表面７６から離れてフィルタ組立体１０を軸方向に付勢するように、複数のフィルタハウジング係合部分１８がハウジング７５の内面７６に軸方向に係合しかつそれに向かって軸方向に押された場合にばね力を与える。
【００４８】
ハウジング７５がねじ付き面８１によってエンジンマウントヘッドに（図示せず）接続される場合、流体は、（１）エンジンマウントヘッドから、ハウジング７５の内面７６とフィルタ組立体１０との間の空隙（流体流路ＦF1参照）に流入し、（２）フィルタ組立体１０を通って（流体流路ＦF2参照）、フィルタ組立体１０から流出して（流体流路ＦF3参照）エンジンマウントヘッドに戻ることができる。概してＦF1で示す流体流路は、ハウジング７５内で、濾材１２の管状体の半径方向外側面２６に向かって流れる未濾過流体の流路を定める。概してＦF2で示す流体流路は、未濾過流体が、濾材１２の管状体の半径方向外側面２６から濾材１２の管状体の半径方向内側面２４へ濾材１２の管状体を通って流れる流路を定め、未濾過流体が濾材１２の管状体を通って流れることを可能にすることによって、不純物は流体から除去され、濾材１２の管状体の半径方向内側面２４から流出する流体は、未濾過流体ではなく濾過流体である。概してＦF3で示す流体流路は、濾材１２の管状体の半径方向内側面２４から、濾材１２の管状体の半径方向内側面２４によって定められた通路２２に流出する濾過流体を定める。
【００４９】
図４Ａ〜図５Ａ及び図４Ｂ〜図５Ｂを参照すると、下部エンドキャップ１６は、例えば、環状体３６などの何らかの望ましい外形形状を含むことができる。環状体３６は、軸方向上側面３８、軸方向下側面４０、及び軸方向上側面３８と軸方向下側面４０との間に延びる厚さＴ36によって定められている。一部の実施構造では、下部エンドキャップ１６は、環状体３６に近接して厚さＴ36を貫通して延びる流体流れ通路を含まない（すなわち、図５Ａ及び図５Ｂから分かるように、濾材１２の管状体の軸方向下側面３０は、下部エンドキャップ１６の軸方向上側面３８が濾材１２の管状体の軸方向下側面３０に隣接して配置された場合に下部エンドキャップ１６の軸方向上側面３８によって流体封止され、流体流路ＦF2は、濾材１２の管状体の軸方向下側面３０を通って又は濾材１２の軸方向下側面３０によって形成された下部通路２２ｂを通って軸方向に流れることができない。）
【００５０】
また、下部エンドキャップ１６の軸方向下側面４０は、下部エンドキャップ１６の軸方向上側面３８から延びる環状成形ボス４４を形成する環状成形凹部４２を定めることができる。一部の実施構造において、環状成形凹部４２は、下部エンドキャップの軸方向上側面３８及び軸方向下側面４０を通る開口４５を定める。一部の実施構造において、ボタンバルブ組立体（図示せず）は、そこを通る流体流れを制御するために開口４５内に配置することができる。図５Ａ及び図５Ｂから分かるように、環状成形ボス４４は、下部エンドキャップ１６の軸方向上側面３８が濾材１２の管状体の軸方向下側面３０に隣接して配置された場合に、濾材１２の軸方向下側面３０によって形成された下部通路２２ｂのために、濾材１２の下端部３４によって形成された通路２２内で少なくとも部分的に整合することができる。
【００５１】
円周方向スカート部分４６は、下部エンドキャップ１６の軸方向上側面３８から離れて軸方向に延びることができる。円周方向スカート部分４６は、半径方向外側面４８、半径方向内側面５０、及び、半径方向外側面４８を半径方向内側面５０に接続する軸方向面５２によって定めることができる。半径方向内側面５０は、濾材１２の管状体の半径方向外側面２６の反対側に又はこの外側面に隣接して配置することができる。
【００５２】
複数のフィルタハウジング係合部分１８は、下部エンドキャップ１６の環状体３６の軸方向下側面４０から一体的に延びる。図２を参照すると、下部エンドキャップ１６は、６つのフィルタハウジング係合部分１８ａ、１８ｂ、１８ｃ、１８ｄ、１８ｅ、１８ｆを含むように示されているが、下部エンドキャップ１６は、本開示の範囲内で任意の数のフィルタハウジング係合部分１８を含むことができる。一部の実施構造において、下部エンドキャップ１６は、３又は４以上のフィルタハウジング係合部分１８を含む。複数のフィルタハウジング係合部分１８の各フィルタハウジング係合部分１８は、フィルタハウジング係合部分のうちの隣接した１つから角度θだけ角度オフセットすることができる。一部の実施構造において、フィルタハウジング係合部分１８は、下部エンドキャップ１６の周りに等間隔とすることができる。従って、下部エンドキャップ１６が３つのフィルタハウジング係合部分１８を含む場合、角度θは、約６０°とすることができる。各フィルタハウジング係合部分１８ａ、１８ｂ、１８ｃ、１８ｄ、１８ｅ、１８ｆが、フィルタハウジング係合部分１８ａ、１８ｂ、１８ｃ、１８ｄ、１８ｅ、１８ｆの他の軸方向に延びる厚さ、半径方向に延びる長さ、及び円周方向に延在する幅に等しい軸方向に延びる厚さ、半径方向に延びる長さ、及び円周方向に延在する幅を有するように示されているが、フィルタハウジング係合部分１８ａ、１８ｂ、１８ｃ、１８ｄ、１８ｅ、１８ｆのうちの少なくとも１つの軸方向に延びる厚さ、半径方向に延びる長さ、及び／又は円周方向に延在する幅は、他のフィルタハウジング係合部分１８ａ、１８ｂ、１８ｃ、１８ｄ、１８ｅ、１８ｆの１又は２以上の軸方向に延びる厚さ、半径方向に延びる長さ、及び円周方向に延在する幅とは異なるものにできることを理解されたい。このようにして、フィルタハウジング係合部分１８ａ、１８ｂ、１８ｃ、１８ｄ、１８ｅ、１８ｆの１又は２以上は、第１のばね定数を示すことができ、他のフィルタハウジング係合部分１８ａ、１８ｂ、１８ｃ、１８ｄ、１８ｅ、１８ｆの１又は２以上は、第１のばね定数よりも大きい第２のばね定数を示すことができる。
【００５３】
図４Ａ〜図５Ａ及び図４Ｂ〜図５Ｂを参照すると、複数のフィルタハウジング係合部分１８の各フィルタハウジング係合部分１８ａ〜１８ｆは、近位端１８Ｐ及び遠位端１８Dによって定められている。さらに、複数のフィルタハウジング係合部分１８の各フィルタハウジング係合部分１８ａ〜１８ｆは、軸方向上側面１８U及び軸方向下側面１８Lによって定められている。さらに、複数のフィルタハウジング係合部分１８の各フィルタハウジング係合部分１８ａ〜１８ｆは、第１の側面１８S1（例えば、図６参照）及び第２の側面１８S2（例えば、図６参照）によって定められている。
【００５４】
複数のフィルタハウジング係合部分１８の各フィルタハウジング係合部分１８ａ〜１８ｆの近位端１８Pは、下部エンドキャップ１６の環状体３６の軸方向下側面４０から一体的に延びる。複数のフィルタハウジング係合部分１８の各フィルタハウジング係合部分１８ａ〜１８ｆの遠位端１８Dは、軸方向上側面１８Uを軸方向下側面１８Lに接続する。第１の側面１８S1は、軸方向上側面１８Uを軸方向下側面１８Lに接続する。第２の側面１８S2は、軸方向上側面１８Uを軸方向下側面１８Lに接続する。
【００５５】
一部の実例において、複数のフィルタハウジング係合部分１８の各フィルタハウジング係合部分１８ａ〜１８ｆは、凹状部分１８CC及び凸状部分１８CVを有する概ね正弦波形状によって定められている。各フィルタハウジング係合部分１８ａ〜１８ｆの凹状部分１８CCは、近位端１８CCP及び遠位端１８CCDを含む。各フィルタハウジング係合部分１８ａ〜１８ｆの凸状部分１８CVは、近位端１８CVP及び遠位端１８CVDを含む。特に、軸方向下側面１８Lは、凹状部分１８CCに近接して凸状とすることができ、軸方向上側面１８Uは、凹状部分１８CCに近接して凹状とすることができる。逆に、軸方向下側面１８Lは、凸状部分１８CVに近接して凹状とすることができ、軸方向上側面１８Uは、凸状部分１８CVに近接して凸状とすることができる。
【００５６】
各フィルタハウジング係合部分１８ａ〜１８ｆの凹状部分１８CCの近位端１８CCPは、下部エンドキャップ１６の環状体３６の軸方向下側面４０と一体であり、そこから直接離れて延びる。各フィルタハウジング係合部分１８ａ〜１８ｆの凸状部分１８CVの近位端１８CVPは、各フィルタハウジング係合部分１８ａ〜１８ｆの凹状部分１８CCの遠位端１８CCDと一体であり、そこから直接離れて延びる。各フィルタハウジング係合部分１８ａ〜１８ｆの凸状部分１８CVの遠位端１８CVDは、各フィルタハウジング係合部分１８ａ〜１８ｆの末端である。
【００５７】
一部の実施例において、各フィルタハウジング係合部分１８ａ〜１８ｆの凹状部分１８CCの近位端１８CCPは、複数のフィルタハウジング係合部分１８の各フィルタハウジング係合部分１８ａ〜１８ｆの近位端１８Pである。一部の実例において、各フィルタハウジング係合部分１８ａ〜１８ｆの凸状部分１８CVの遠位端１８CVDは、複数のフィルタハウジング係合部分１８の各フィルタハウジング係合部分１８ａ〜１８ｆの遠位端１８Dである。
【００５８】
図２〜図３から分かるように、複数のフィルタハウジング係合部分１８の各フィルタハウジング係合部分１８ａ〜１８ｆの軸方向上側面１８Uの少なくとも一部は、撓み制限部分５４を含む。撓み制限部分５４は、フィルタ組立体１０がナットプレート７７でハウジング７５内に固定された場合に、下部エンドキャップ１６の軸方向下側面４０から一体的に延びる複数のフィルタハウジング係合部分１８によって与えられたばね力の大きさを制限する何らかの望ましい外形形状を含むことができ、下部エンドキャップ１６の軸方向下側面４０から一体的に延びる複数のフィルタハウジング係合部分１８は、軸方向距離ＤAでハウジング７５の内面から離れてフィルタ組立体１０を軸方向に付勢することができる。
【００５９】
図６〜図８を参照すると、一部の実施構造において、各撓み制限部分５４は、複数のフィルタハウジング係合部分１８の各フィルタハウジング係合部分１８ａ〜１８ｆの長さＬ18の少なくとも一部に沿って延びる長さＬ54によって定めることができる。一部の実施例において、各撓み制限部分５４の長さＬ54は、複数のフィルタハウジング係合部分１８の各フィルタハウジング係合部分１８ａ〜１８ｆの凹状部分１８CCの長さの少なくとも一部に沿って延びる。
【００６０】
図６〜図８を参照すると、撓み制限部分５４は、さらに幅Ｗ54（例えば、図６及び図８参照）及び厚さＴ54（例えば、図６〜図７参照）によって定めることができる。各撓み制限部分５４の幅Ｗ54は、複数のフィルタハウジング係合部分１８の各フィルタハウジング係合部分１８ａ〜１８ｆの幅Ｗ18の約半分にほぼ等しくすることができる。各撓み制限部分５４の厚さＴ54は、各撓み制限部分５４が複数のフィルタハウジング係合部分１８の各フィルタハウジング係合部分１８ａ〜１８ｆの凹状部分１８CCの長さの少なくとも一部に沿って延びる場合、一定の厚さによって又は各撓み制限部分５４の長さＬ54に沿ってテーパー状になる一定ではない厚さによって定めることができる。一部の実施例において、各撓み制限部分５４の厚さＴ54は、複数のフィルタハウジング係合部分１８の各フィルタハウジング係合部分１８ａ〜１８ｆの凹状部分１８CCの近位端１８CCP近傍の最大厚さ及び複数のフィルタハウジング係合部分１８の各フィルタハウジング係合部分１８ａ〜１８ｆの凹状部分１８CCの遠位端１８CCD近傍の最小厚さを含む、一定ではない厚さによって定めることができる。
【００６１】
一部の実施例において、図２から分かるように、複数のフィルタハウジング係合部分１８は、下部エンドキャップ１６の環状体３６の軸方向下側面４０の周りに円周方向に配置されている。一部の実施構造において、複数のフィルタハウジング係合部分１８の各フィルタハウジング係合部分１８ａ〜１８ｆの近位端１８Pは、各々、下部エンドキャップ１６の軸方向中心から半径方向に第１の半径方向距離Ｒ１で等距離に離間する。第１の半径方向距離Ｒ１は、下部エンドキャップ１６の軸方向中心と円周方向スカート部分４６の半径方向外側面４８との間の距離の約半分とすることができる。さらに、複数のフィルタハウジング係合部分１８の各フィルタハウジング係合部分１８ａ〜１８ｆの遠位端１８Dは、各々、下部エンドキャップ１６の軸方向中心から半径方向に第２の半径方向距離Ｒ２で等間隔に離間することができる。第２の半径方向距離Ｒ２は、円周方向スカート部分４６の半径方向外側面４８を超えて半径方向に延びることができる。さらに、複数のフィルタハウジング係合部分１８の各フィルタハウジング係合部分１８ａ〜１８ｆの近位端１８Pは、各々、下部エンドキャップ１６の軸方向下側面４０によって形成された環状成形凹部４２を定める円周方向の外周部５６から半径方向に半径方向距離Ｒ３で等距離に離間することができる。
【００６２】
図４Ａ〜図５Ａ及び図４Ｂ〜図５Ｂを参照すると、一部の実施構造において、複数のフィルタハウジング係合部分１８の対向するフィルタハウジング係合部分１８ａ〜１８ｆの遠位端１８Dは、直径Ｄ18によって定められた距離で相隔たることができる。複数のフィルタハウジング係合部分１８の対向するフィルタハウジング係合部分１８ａ〜１８ｆの遠位端１８Ｄ間の距離を定める直径Ｄ18は、第２の半径方向距離Ｒ２の約２倍とすることができる。
【００６３】
図１Ａから分かるように、複数のフィルタハウジング係合部分１８の対向するフィルタハウジング係合部分１８ａ〜１８ｆの遠位端１８D間の距離を定める直径Ｄ18は、下部エンドキャップがフィルタ組立体１０をハウジング７５の内面７６によって定められた空洞８５内で軸方向にセンタリングするための軸方向センタリングデバイスとしても機能することを可能にする。例えば、ハウジング７５の内面７６は、側面部分７６A、端面部分７６B、及び、側面部分７６Aを端面部分７６Bに接続する中間面部分７６Cによって定めることができる。側面部分７６Aは、ハウジング７５の大部分の長さに沿って延びる実質的に一定の直径Ｄ75Aを有するようにハウジング７５の空洞８５を定めることができ、中間面部分７６Cは、実質的に一定の直径Ｄ75Aを僅かに下回る直径Ｄ75Cで僅かにテーパー状である。一部の実施構造において、直径Ｄ75Cは、軸方向に延びる方向で（例えば、軸線Ａに沿って端面部分７６Bの方に延びる方向で）減少する。この点に関して、内面７６は、半径方向内側に延びる部分８６（例えば、環状肩部、棚部など）を側面部分７６Aと中間面部分７６Cとの間に（例えば、軸線Ａに対して）含むことができる。
【００６４】
複数のフィルタハウジング係合部分１８の対向するフィルタハウジング係合部分１８ａ〜１８ｆの遠位端１８D間の距離を定める直径Ｄ18は、ハウジング７５の大部分の長さに沿って延びる実質的に一定の直径Ｄ75Aに実質的に等しいがそれを僅かに下回ることができ、フィルタ組立体１０が空洞８５に軸方向に挿入される際に、複数のフィルタハウジング係合部分１８のフィルタハウジング係合部分１８ａ〜１８ｆの遠位端１８Dのいずれかが表面の部分７６Aに接触する場合、フィルタ組立体１０は、ハウジング７５を通って延びる中心軸Ａ−Ａに対して相対的に軸方向に位置合わせされた状態になっている。さらに、フィルタ組立体１０がハウジング７５内に配置されると、（ｉ）複数のフィルタハウジング係合部分１８の各フィルタハウジング係合部分１８ａ〜１８ｆの軸方向下側面１８L及び遠位端１８Dの一方又は両方は、ハウジング７５の内面７６に係合することができ、（ｉｉ）複数のフィルタハウジング係合部分１８の各フィルタハウジング係合部分１８ａ〜１８ｆの近位端１８Pは、半径方向に延びる方向において濾材１１２の中心管体１２０と濾材の半径方向外側面２６との間に配置することができる。一部の実施構造において、複数のフィルタハウジング係合部分１８の各フィルタハウジング係合部分１８ａ〜１８ｆの軸方向下側面１８L及び遠位端１８Dの一方又は両方は、ハウジング７５の中間面部分７６Cに係合することができる。一部の実施構造において、複数のフィルタハウジング係合部分１８の各フィルタハウジング係合部分１８ａ〜１８ｆの軸方向下側面１８L及び遠位端１８Dの一方又は両方は、ハウジング７５の半径方向内側に延びる部分８６（例えば、環状肩部、棚部など）で内面７６に係合することができる。
【００６５】
図１Ｂを参照すると、一部の実施構造において、フィルタ組立体１０は、インサート１２３を含む。インサート１２３は、ハウジング７５内に配置することができ、停止面１２５から保持面１２７まで軸方向に延びることができる。一部の実施構造において、インサート１２３は、保持面１２７が内面７６の一部に係合するようにハウジング７５の内面７６の周りに環状に延びる。この点に関して、内面７６は、インサート１２３の保持表面１２７に係合する半径方向内側に延びる部分７５Aを含むことができる。例えば、半径方向内側に延びる部分７５Aは、インサート１２３の保持表面１２７と係合するフック形状（たとえば、Ｊ字形）を定めることができる。
【００６６】
停止面１２５は、軸線Ａに対して横方向でその周りに延びることができる。一部の実施構造において、停止面１２５は、軸線Ａに実質的に垂直でその周りに延びる。組み付け後の構成において、下部エンドキャップ１６は、インサート１２３又はナットプレート７７に係合することができ、上部エンドキャップ１４は、ハウジング７５の内面７６に係合することができる。特に、フィルタ組立体１０がハウジング７５内に配置されると、（ｉ）複数のフィルタハウジング係合部分１８の各フィルタハウジング係合部分１８ａ〜１８ｆの軸方向下側面１８L及び遠位端１８Dの一方又は両方は、インサート１２３に係合することができ、（ｉｉ）複数のフィルタハウジング係合部分１８の各フィルタハウジング係合部分１８ａ〜１８ｆの近位端１８Pは、半径方向に延びる方向において濾材１１２の中心管体１２０と濾材の半径方向外側面２６との間に配置することができる。一部の実施構造において、複数のフィルタハウジング係合部分１８の各フィルタハウジング係合部分１８ａ〜１８ｆの軸方向下側面１８L及び遠位端１８Dの一方又は両方は、インサート１２３の停止面１２５に係合することができる。
【００６７】
図１Ｃを参照すると、一部の実施構造において、下部エンドキャップ１６は、ナットプレート７７に係合することができ、上部エンドキャップ１４は、ハウジング７５の内面７６に係合することができる。特に、フィルタ組立体１０がハウジング７５内に配置されると、（ｉ）複数のフィルタハウジング係合部分１８の各フィルタハウジング係合部分１８ａ〜１８ｆの軸方向下側面１８L及び遠位端１８Dの一方又は両方は、ナットプレート７７に係合することができ、（ｉｉ）複数のフィルタハウジング係合部分１８の各フィルタハウジング係合部分１８ａ〜１８ｆの近位端１８Pは、半径方向に延びる方向において濾材１１２の中心管体１２０と濾材の半径方向外側面２６との間に配置することができる。
【００６８】
図４Ａ〜図５Ａ及び図４Ｂ〜図５Ｂを参照すると、一部の実例において、複数のフィルタハウジング係合部分１８を一体的に含む下部エンドキャップ１６は、１つの材料Ｍ１又は、代替的に、２又は３以上の材料Ｍ１、Ｍ２（例えば、プラスチック材料及び金属材料）から作製することができる。実施例において、図４Ａ〜図５Ａから分かるように、複数のフィルタハウジング係合部分１８を一体的に含む下部エンドキャップ１６は、プラスチック材料又は金属材料などの１つの材料Ｍ１から成形することができる。別の実施例において、図４Ｂ〜図５Ｂから分かるように、複数のフィルタハウジング係合部分１８を一体的に含む下部エンドキャップ１６は、第１の材料Ｍ１及び第２の材料Ｍ２によって形成することができ、第２の材料Ｍ２は、例えば、複数のフィルタハウジング係合部分１８の各フィルタハウジング係合部分１８ａ〜１８ｆのコア部材である金属材料を含むことができ、複数のフィルタハウジング係合部分１８の各フィルタハウジング係合部分１８ａ〜１８ｆの長さＬ18の少なくとも一部に沿って延びると共に下部エンドキャップ１６の環状体３６の厚さＴ36の一部に延び、第１の材料Ｍ１は、例えば、第１の材料Ｍ１が下部エンドキャップ１６及び複数のフィルタ係合部分１８の両方の少なくとも一部を定めるように第２の材料Ｍ２を覆うように成型される外側体を形成するプラスチック材料を含むことができる。一部の実施構造において、フィルタハウジング係合部分１８ａ〜１８ｆのうちの少なくとも１つは、第１の材料（例えば、Ｍ１）を含むことができ、フィルタハウジング係合部分１８ａ〜１８ｆのうちの少なくとも別の１つは、第２の材料（例えば、Ｍ２）を含むことができ、フィルタハウジング係合部分１８ａ〜１８ｆのうちの少なくとも１つは、第１のばね定数を示し、フィルタハウジング係合部分１８ａ〜１８ｆのうちの少なくとももう１つは、第１のばね定数よりも大きい第２のばね定数を示すようになっている。
【００６９】
図９を参照すると、例示的なフィルタ組立体は、全体的が１００で示されている。フィルタ組立体１００は、濾材１１２、上部エンドキャップ１１４、及び下部エンドキャップ１１６を含む。図９〜図１１から分かるように、複数のフィルタハウジング係合部分１１８を含むリング部分１１７は、下部エンドキャップ１１６から一体的に延びる。この点に関して、フィルタハウジング係合部分１１８の１又は２以上は、下部エンドキャップ１１６に一体的に及び／又はモノリシック的に形成することができる。図１２Ａ〜図１３Ａ及び図１２Ｂ〜図１３Ｂを参照すると、一部の実施例において、複数のフィルタハウジング係合部分１１８を含むリング部分１１７を一体的に含む下部エンドキャップ１１６は、何らかの望ましい材料Ｍ１、Ｍ２（例えば、プラスチック材料、金属材料など）から作製することができる。複数のフィルタハウジング係合部分１１８を含むリング部分１１７を含む下部エンドキャップ１１６を定める材料Ｍ１、Ｍ２は、ばね力を与えることができる可撓性材料から作製することができる。ばね力は、複数のフィルタハウジング係合部分１１８を含むリング部分１１７が、表面（例えば、フィルタ組立体１００を収容するハウジング７５の内面７６）に軸方向に係合してそれに向かった軸方向に押された場合に複数のフィルタハウジング係合部分１１８を含むリング部分１１７によって与えることができ、下部エンドキャップ１１６は、軸方向距離ＤAで複数のハウジング係合部分１１８を含むリング部分１１７が係合する表面から離れてフィルタ組立体１００を軸方向に付勢するようになっている。
【００７０】
図９から分かるように、濾材１１２は、例えば、管状体などの何らかの望ましい外形形状を含むことができる。フィルタ組立体１００は、随意的に濾材１１２の管状体によって定められた通路１２２内に配置された中心管体１２０を含むことができる。通路１２２は、濾材１１２の管状体の半径方向内側面１２４によって定められている。また、濾材１１２の管状体は、半径方向外側面２６、軸方向上側面１２８、及び軸方向下側面１３０によって定められている。通路１２２へのアクセスは、軸方向上側面１２８によって形成された上部開口部１２２ａ又は軸方向下側面１３０によって形成された下部開口部１２２ｂによって可能にされる。
【００７１】
軸方向上側面１２８及び軸方向下側面１３０の両方は、半径方向内側面１２４を半径方向外側面２６に接続する。軸方向上側面１２８、及び軸方向上側面１２８から延びる半径方向内側面１２４及び半径方向外側面２６の各々の一部は、概して管状体の上端１３２を定める。軸方向下側面１３０、及び軸方向下側面１３０から延びる半径方向内側面１２４及び半径方向外側面２６の各々の一部は、概して濾材１１２の管状体の下端１３４を定める。
【００７２】
中心管体１２０は、通路１２２内に配置することができ、濾材１１２の管状体の半径方向内側面１２４に隣接することができる。機能的に、中心管体１２０は、濾材１１２の管状体を強固にすることができる。中心管体１２０は、複数の半径方向通路１２０ａを含むこともできる。複数の半径方向通路１２０ａは、半径方向流体流れ（例えば、流体流路ＦF2参照）が、（１）濾材１１２の管状体の半径方向外側面２６から、（２）濾材１１２の管状体の半径方向厚さ寸法部Ｔ112を通って、（３）濾材１１２の管状体の半径方向内側面１２４から流出して、（４）中心管体１２０の複数の半径方向通路１２０ａを通って、（５）濾材１１２の管状体によって形成された通路１２２に流入するのを可能にする。
【００７３】
図９を参照すると、フィルタ組立体１００は、ハウジング７５内に配置されて示されている。ハウジング７５は、ねじ付き面８１によって定められた軸方向通路７９を有するナットプレート７７を含む。上部エンドキャップ１１４は、流体封止された関係でナットプレート７７の部分８３に接続されている。上述したように、下部エンドキャップ１１６の複数のフィルタハウジング係合部分１１８を含むリング部分１１７は、下部エンドキャップ１１６が軸方向距離ＤAで表面７６から離れてフィルタ組立体１００を軸方向に付勢するように、複数のフィルタハウジング係合部分１１８を含むリング部分１１７がハウジング７５の内面７６に軸方向に係合しかつそれに向かって軸方向に押される場合にばね力を与える。
【００７４】
ハウジング７５がねじ付き面８１によってエンジンマウントヘッドに（図示せず）接続される場合、流体は、（１）エンジンマウントヘッドから、ハウジング７５の内面７６とフィルタ組立体１００との間の空隙（流体流路ＦF1参照）に流入し、（２）フィルタ組立体１００を通って（流体流路ＦF2参照）、フィルタ組立体１００から流出して（流体流路ＦF3参照）エンジンマウントヘッドに戻ることができる。概してＦF1で示す流体流路は、ハウジング７５内で、濾材１１２の管状体の半径方向外側面２６に向かって流れる未濾過流体の流路を定める。概してＦF2で示す流体流路は、未濾過流体が濾材１１２の管状体の半径方向外側面２６から濾材１１２の管状体の半径方向内側面１２４へ濾材１１２の管状体を通って流れる流路を定め、未濾過流体が濾材１１２の管状体を通って流れることを可能にすることによって、不純物は流体から除去され、濾材１１２の管状体の半径方向内側面１２４から流出する流体は、未濾過流体でなく濾過流体である。概してＦF3で示す流体流路は、濾材１１２の管状体の半径方向内側面１２４から、濾材１１２の管状体の半径方向内側面１２４によって定められた通路１２２に流出する濾過流体を定める。
【００７５】
図１２Ａ〜図１３Ａ及び図１２Ｂ〜図１３Ｂを参照すると、下部エンドキャップ１１６は、例えば、環状体１３６などの何らかの望ましい外形形状を含むことができる。環状体１３６は、軸方向上側面１３８、軸方向下側面１４０、及び軸方向上側面１３８と軸方向下側面１４０との間に延びる厚さＴ136によって定められている。下部エンドキャップ１１６は、厚さＴ136を貫通して延びる流体流れ通路を含まない（すなわち、濾材１１２の管状体の軸方向下側面１３０は、下部エンドキャップ１１６の軸方向上側面１３８が濾材１１２の管状体の軸方向下側面１３０に隣接して配置された場合に下部エンドキャップ１１６の軸方向上側面１３８によって流体封止され、流体流路ＦF2は、濾材１１２の管状体の軸方向下側面１３０を通って又は濾材１１２の軸方向下側面１３０によって形成された下部通路１２２ｂを通って軸方向に流れることができない）。
【００７６】
また、下部エンドキャップ１１６の軸方向下側面１４０は、下部エンドキャップ１１６の軸方向上側面１３８から延びる環状成形ボス１４４を形成する環状成形凹部１４２を定めることができる。環状成形ボス１４４は、下部エンドキャップ１１６の軸方向上側面１３８が濾材１１２の管状体の軸方向下側面１３０に隣接して配置された場合に、濾材１１２の軸方向下側面１３０によって形成された下部通路１２２ｂのために、濾材１１２の下端部１３４によって形成された通路１２２内で少なくとも部分的に整合することができる。
【００７７】
円周方向スカート部分１４６は、下部エンドキャップ１１６の軸方向上側面１３８から離れて軸方向に延びることができる。円周方向スカート部分１４６は、半径方向外側面１４８、半径方向内側面１５０、及び、半径方向外側面１４８を半径方向内側面１５０に接続する軸方向面１５２によって定めることができる。半径方向内側面１５０は、濾材１１２の管状体の半径方向外側面２６の反対側に又は該表面に隣接して配置することができる。
【００７８】
複数のフィルタハウジング係合部分１１８を含むリング部分１１７は、下部エンドキャップ１１６の環状体１３６の軸方向下側面１４０から一体的に延びる。一部の実施構造において、図１０から分かるように、リング部分１１７から離れて延びる複数のフィルタハウジング係合部分１１８は、１４個のフィルタハウジング係合部分１１８ａ、１１８ｂ、１１８ｃ、１１８ｄ、１１８ｅ、１１８ｆ、１１８ｇ、１１８ｈ、１１８ｉ、１１８ｊ、１１８ｋ、１１８ｌ、１１８ｍ、１１８ｎを含む。複数のフィルタハウジング係合部分１１８の各フィルタハウジング係合部分１１８は、フィルタハウジング係合部分１１８のうちの隣接した１つから角度θだけ角度オフセットすることができる。一部の実施構造において、フィルタハウジング係合部分１１８は、下部エンドキャップ１１６の周りに等間隔とすることができる。従って、下部エンドキャップ１６が１４個のフィルタハウジング係合部分１１８ａ〜１１８ｎを含む場合、角度θは、約２５°とすることができる。
【００７９】
図１２Ａ〜図１３Ａ及び図１２Ｂ〜図１３Ｂから分かるように、複数のフィルタハウジング係合部分１１８の各フィルタハウジング係合部分１１８ａ〜１１８ｎは、近位端１１８P及び遠位端１１８Dによって定められている。さらに、複数のフィルタハウジング係合部分１１８の各フィルタハウジング係合部分１１８ａ〜１１８ｎは、軸方向上側面１１８U及び軸方向下側面１１８Lによって定められている。さらに、複数のフィルタハウジング係合部分１１８の各フィルタハウジング係合部分１１８ａ〜１１８ｎは、第１の側面１１８S1（例えば、図１０参照）及び第２の側面１１８S2（例えば、図１０参照）によって定められている。
【００８０】
図１１を参照すると、複数のフィルタハウジング係合部分１１８の各フィルタハウジング係合部分１１８ａ〜１１８ｎの近位端１１８Pは、リング部分１１７の遠位端１１７Dから一体的に延びる。リング部分１１７の近位端１１７Pは、下部エンドキャップ１１６の環状体１３６の軸方向下側面１４０から延びる。図１２Ａ〜図１３Ａ及び図１２Ｂ〜図１３Ｂから分かるように、複数のフィルタハウジング係合部分１１８の各フィルタハウジング係合部分１１８ａ〜１１８ｎの遠位端１１８Dは、軸方向上側面１１８Uを軸方向下側面１１８Lに接続する。第１の側面１１８S1は、軸方向上側面１１８Uを軸方向下側面１１８Lに接続する。第２の側面１１８S2は、軸方向上側面１１８Uを軸方向下側面１１８Lに接続する。一部の実例において、図１０から分かるように、複数のフィルタハウジング係合部分１１８の各フィルタハウジング係合部分１１８ａ〜１１８ｎの第１の側面１１８S1及び第２の側面１１８S2は、概ね弓形形状によって定められ、隣接したフィルタハウジング係合部分１１８ａ〜１１８ｎの第２の側面１１８S2に接続したフィルタハウジング係合部分１１８ａ〜１１８ｎの第１の側面１１８S1は、集合的に凹面１１９を定める。
【００８１】
一部の実施例において、複数のフィルタハウジング係合部分１１８は、リング部分１１７の遠位端１１７Dの周りに円周方向に配置される。一部の実施構造において、図１０から分かるように、リング部分１１７は、下部エンドキャップ１１６の軸方向中心から半径方向に第１の半径方向距離Ｒ１で等距離に離間する。第１の半径方向距離Ｒ１は、下部エンドキャップ１１６の軸方向中心と円周方向スカート部分１４６の半径方向外側面１４８との間の距離のほぼ７／８とすることができる。さらに、複数のフィルタハウジング係合部分１１８の各フィルタハウジング係合部分１１８ａ〜１１８ｎの遠位端１１８Dは、各々、下部エンドキャップ１１６の軸方向中心から半径方向に第２の半径方向距離Ｒ２で等距離に離間することができる。第２の半径方向距離Ｒ２は、円周方向スカート部分１４６の半径方向外側面１４８を越えて半径方向に延びることができる。さらに、リング部分１１７は、下部エンドキャップ１１６の軸方向下側面１４０によって形成された環状凹部１４２を定める円周方向の外周部１５６から半径方向に半径方向距離Ｒ３で等距離に離間することができる。
【００８２】
図１２Ａ〜図１３Ａ及び図１２Ｂ〜図１３Ｂから分かるように、一部の実施構造において、複数のフィルタハウジング係合部分１１８の対向するフィルタハウジング係合部分１１８ａ〜１１８ｎの遠位端１１８Dは、直径Ｄ118によって定められた距離で相隔たることができる。複数のフィルタハウジング係合部分１１８の対向するフィルタハウジング係合部分１１８ａ〜１１８ｎの遠位端１１８D間の距離を定める直径Ｄ118は、第２の半径方向距離Ｒ２の約２倍とすることができる。
【００８３】
図９を参照すると、複数のフィルタハウジング係合部分１１８の対向するフィルタハウジング係合部分１１８ａ〜１１８ｎの遠位端１１８D間の距離を定める直径Ｄ118は、下部エンドキャップがフィルタ組立体１００をハウジング７５の内面７６によって定められた空洞８５内で軸方向にセンタリングするための軸方向センタリングデバイスとしても機能することを可能にする。例えば、ハウジング７５の内面７６は、側面部分７６A、端面部分７６B、及び側面部分７６Aを端面部分７６Bに接続する中間面部分７６Cによって定めることができる。側面部分７６Aは、ハウジング７５の大部分の長さに沿って延びる直径Ｄ75Aを有するようにハウジング７５の空洞８５を定めることができ、中間面部分７６Cは、実質的に一定の直径Ｄ75Aを僅かに下回る直径Ｄ75Cで僅かにテーパー状である。一部の実施構造において、直径Ｄ75Cは、軸方向に延びる方向で（例えば、軸線Ａに沿って端面部分７６Bの方に延びる方向で）減少する。この点に関して、内面７６は、半径方向内側に延びる部分８６（例えば、環状肩部、棚部など）を側面部分７６Aと中間面部分７６Cとの間に（例えば、軸線Ａに対して）含むことができる。
【００８４】
複数のフィルタハウジング係合部分１１８の対向するフィルタハウジング係合部分１１８ａ〜１１８ｎの遠位端１１８D間の距離を定める直径Ｄ118は、ハウジング７５の大部分の長さに沿って延びる一定の直径Ｄ75Aにほぼ等しいがそれを僅かに下回ることができ、フィルタ組立体１００が空洞８５に軸方向に挿入される際に、複数のフィルタハウジング係合部分１１８のフィルタハウジング係合部分１１８ａ〜１１８ｎの遠位端１８Dのいずれかが表面の部分７６Aに接触する場合、フィルタ組立体１００は、ハウジング７５を通って延びる中心軸Ａ−Ａに対して相対的に軸方向に位置合わせされた状態になっている。さらに、フィルタ組立体１００がハウジング７５内に配置されると、（ｉ）複数のフィルタハウジング係合部分１１８の各フィルタハウジング係合部分１１８ａ〜１１８ｎの軸方向下側面１１８L及び遠位端１１８Dの一方又は両方は、中間面部分７６Cに係合することができ、（ｉｉ）複数のフィルタハウジング係合部分１１８の各フィルタハウジング係合部分１１８ａ〜１１８ｎの近位端１１８Pは、半径方向に延びる方向において濾材１１２の中心管体１２０と濾材の半径方向外側面２６との間に配置することができる。
【００８５】
図１２Ａ〜図１３Ａ及び図１２Ｂ〜図１３Ｂを参照すると、一部の実例において、複数のフィルタハウジング係合部分１１８を含むリング部分１１７を一体的に含む下部エンドキャップ１１６は、１つの材料Ｍ１、又は、代替的に、２又は３以上の材料Ｍ１、Ｍ２（例えば、プラスチック材料及び金属材料）から作製することができる。実施例において、図１２Ａ〜図１３Ａから分かるように、複数のフィルタハウジング係合部分１１８を含むリング部分１１７を一体的に含む下部エンドキャップ１１６は、プラスチック材料又は金属材料などの１つの材料Ｍ１から成形することができる。別の実施例において、図１２Ｂ〜図１３Ｂから分かるように、複数のフィルタハウジング係合部分１１８を含むリング部分１１７を一体的に含む下部エンドキャップ１１６は、第１の材料Ｍ１及び第２の材料Ｍ２によって形成することができ、第２の材料Ｍ２は、例えば、複数のフィルタハウジング係合部分１１８の各フィルタハウジング係合部分１１８ａ〜１１８ｎのコア部材である金属材料を含むことができ、（１）複数のフィルタハウジング係合部分１１８の各フィルタハウジング係合部分１１８ａ〜１１８ｎの長さの少なくとも一部に沿って、（２）リング部分１１７を通って、（３）下部エンドキャップ１１６の環状体１３６の厚さＴ136の一部の中に延び、第１の材料Ｍ１は、例えば、第１の材料Ｍ１が下部エンドキャップ１１６、リング部分１１７、及び、複数のフィルタ係合部分１１８の両方の少なくとも一部を定めるように第２の材料Ｍ２を覆うように成型される外側体を形成するプラスチック材料を含むことができる。
【００８６】
図１４を参照すると、フィルタ組立体（例えば、フィルタ組立体１０、フィルタ組立体１００）と共に使用される例示的な下部エンドキャップ２１６が示されている。下部エンドキャップ２１６の構造及び機能は、以下で説明及び／又は図示する何らかの例外は別として、下部エンドキャップ１６及び／又は下部エンドキャップ１１６と実質的に同じとすることができる。従って、同様の特徴の構造及び／又は機能は、改めて詳細に説明しない。さらに、同様の参照番号は、同様の特徴を識別するために以下で及び図面中で使用される。
【００８７】
下部エンドキャップ２１６は、複数のフィルタハウジング係合部分１８を含むことができる。下部エンドキャップ２１６は、概して４つのフィルタハウジング係合部分１８ａ、１８ｂ、１８ｃ、１８ｄを含むように示されているが、下部エンドキャップ２１６は、本開示の範囲内で任意の数のフィルタハウジング係合部分１８を含むことができる。一部の実施構造において、下部エンドキャップ２１６は、３又は４以上のフィルタハウジング係合部分１８を含む。
【００８８】
複数のフィルタハウジング係合部分１８の各フィルタハウジング係合部分１８は、フィルタハウジング係合部分の隣接した１つから角度θ216だけ角度オフセットすることができる。一部の実施構造において、フィルタハウジング係合部分１８は、下部エンドキャップ１６の周りに等間隔とすることができる。この点に関して、フィルタハウジング係合部分１８は、軸方向下側面４０上に配置すること及び／又はそこから延びることができ、組み付け後の構成（例えば、図１Ａ、図１Ｂ、図１Ｃ、図９）において、各フィルタハウジング係合部分１８の長さＬ18は、軸線Ａに対して横方向に延びる。例えば、下部エンドキャップ１６が４つのフィルタハウジング係合部分１８を含む場合、角度θ216は、約９０°とすることができ、フィルタハウジング係合部分１８ａ、１８ｂ、１８ｃ、１８ｄの長さＬ18は、集合的に矩形（例えば、正方形）形状を定めることができる。フィルタハウジング係合部分１８の角度オフセットにより、ユーザーは、フィルタ組立体（例えば、フィルタ組立体１０、フィルタ組立体１００）をより簡単に組み付けることができ、同時にフィルタ組立体の機能性を向上させることもできる。
【００８９】
図１５Ａ及び図１５Ｂを参照すると、フィルタ組立体（例えば、フィルタ組立体１０、フィルタ組立体１００）と共に使用される別の例示的な下部エンドキャップ３１６が示されている。下部エンドキャップ３１６の構造及び機能は、以下で説明及び／又は図示する何らかの例外は別として、下部エンドキャップ１６、１１６、及び／又は２１６と実質的に同じとすることができる。従って、同様の特徴の構造及び／又は機能は、改めて詳細に説明しない。さらに、同様の参照番号は、同様の特徴を識別するために以下で及び図面中で使用される。
【００９０】
下部エンドキャップ３１６は、複数のフィルタハウジング係合部分３１８を含むことができる。下部エンドキャップ３１６は、概して４つのフィルタハウジング係合部分３１８ａ、３１８ｂ、３１８ｃ、３１８ｄを含むように示されているが、下部エンドキャップ３１６は、本開示の範囲内で任意の数のフィルタハウジング係合部分３１８を含むことができる。一部の実施構造において、下部エンドキャップ３１６は、３又は４以上のフィルタハウジング係合部分３１８を含む。
【００９１】
複数のフィルタハウジング係合部分３１８の各フィルタハウジング係合部分３１８は、フィルタハウジング係合部分の隣接した１つから角度θ316だけ角度オフセットすることができる。一部の実施構造において、フィルタハウジング係合部分３１８は、下部エンドキャップ３１６の周りに等間隔とすることができる。この点に関して、フィルタハウジング係合部分３１８は、軸方向下側面４０上に配置すること及び／又はそこから延びることができ、組み付け後の構成（例えば、図１Ａ、図１Ｂ、図１Ｃ、図９）において、各フィルタハウジング係合部分３１８の長さＬ318は、軸線Ａに対して横方向に延びる。例えば、下部エンドキャップ３１６が４つのフィルタハウジング係合部分３１８を含む場合、角度θ316は、約９０°とすることができ、フィルタハウジング係合部分３１８ａ、３１８ｂ、３１８ｃ、３１８ｄの長さＬ318は、集合的に矩形（例えば、正方形）形状を定めることができる。
【００９２】
特に図１５Ｂを参照すると、複数のフィルタハウジング係合部分３１８の各フィルタハウジング係合部分３１８ａ〜３１８ｄは、第１の側面３１８S1、第２の側面３１８S2、近位端３１８P、遠位端３１８D、軸方向上側面３１８U及び軸方向下側面３１８Lによって定めることができる。複数のフィルタハウジング係合部分３１８の各フィルタハウジング係合部分３１８ａ〜３１８ｄの遠位端３１８Dは、軸方向上側面３１８Uを軸方向下側面３１８Lに接続する。第１の側面３１８S1は、軸方向上側面３１８Uを軸方向下側面３１８Lに接続する。第２の側面３１８S2は、軸方向上側面３１８Uを軸方向下側面３１８Lに接続する。第１の側面３１８S1及び第２の側面３１８S2は、各々、近位端３１８P及び遠位端３１８Dから、弓形様式でその間に延びることができる。例えば、一部の実施構造において、第１及び第２の側面３１８S1、３１８S2は、各々、近位端及び遠位端３１８P、３１８Dから、Ｓ字形でその間に延びることができる。一部の実施構造において、第１の側面３１８S1は、第２の側面３１８S2に実質的に平行である。従って、各フィルタハウジング係合部分３１８の近位端及び遠位端３１８P、３１８Dは、その間で角度αを定めることができる。角度αは、１°〜９０°とすることができる。一部の実施構造において、角度αは、実質的に４５°とすることができる。フィルタハウジング係合部分３１８により、ユーザーは、フィルタ組立体（例えば、フィルタ組立体１０、フィルタ組立体１００）を効率良く組み付けることができ、同時にフィルタ組立体の機能性を向上させることもできる。
【００９３】
図１６を参照すると、フィルタ組立体（例えば、フィルタ組立体１０、フィルタ組立体１００）と共に使用される別の例示的な下部エンドキャップ４１６が示されている。下部エンドキャップ４１６の構造及び機能は、以下で説明及び／又は図示する何らかの例外は別として、下部エンドキャップ１１６、２１１６、及び／又は３１６と実質的に同じとすることができる。従って、同様の特徴の構造及び／又は機能は、改めて詳細に説明しない。さらに、同様の参照番号は、同様の特徴を識別するために以下で及び図面中で使用される。
【００９４】
下部エンドキャップ４１６は、複数のフィルタハウジング係合部分４１８を含むことができる。下部エンドキャップ４１６は、概して６つのフィルタハウジング係合部分４１８ａ、４１８ｂ、４１８ｃ、４１８ｄ、４１８ｅ、４１８ｆを含むように示されているが、下部エンドキャップ４１６は、本開示の範囲内で任意の数のフィルタハウジング係合部分４１８を含むことができる。一部の実施構造において、下部エンドキャップ４１６は、３又は４以上のフィルタハウジング係合部分４１８を含む。
【００９５】
複数のフィルタハウジング係合部分４１８の各フィルタハウジング係合部分４１８ａ〜４１８ｆは、第１の側面４１８S1、第２の側面４１８S2、近位端４１８P、遠位端４１８D、軸方向上側面４１８U及び軸方向下側面４１８Lによって定めることができる。複数のフィルタハウジング係合部分４１８の各フィルタハウジング係合部分４１８ａ〜４１８ｆの遠位端４１８Dは、軸方向上側面４１８Uを軸方向下側面４１８Lに接続する。第１の側面４１８S1は、軸方向上側面４１８Uを軸方向下側面４１８Lに接続する。第２の側面４１８S2は、軸方向上側面４１８Uを軸方向下側面４１８Lに接続する。第１及び第２の側面４１８S1、４１８S2は、各々、近位端及び遠位端４１８P、４１８Dから、弓形様式でその間に延びることができる。例えば、一部の実施構造において、第１及び第２の側面４１８S1、４１８S2は、各々、近位端及び遠位端４１８P、４１８Dから、Ｓ字形でその間に延びることができる。特に、第１の側面４１８S1の輪郭は、第２の側面４１８S2の輪郭の鏡像（mirror）とすることができ、各フィルタハウジング係合部分１８ａ〜１８ｆの幅Ｗ418は、近位端及び遠位端４１８P（４１８D）から及びその間で変化する。例えば、近位端４１８Pに近接した各フィルタハウジング係合部分１８ａ〜１８ｆの幅Ｗ418は、遠位端４１８Dに近接したフィルタハウジング係合部分１８ａ〜１８ｆの幅Ｗ418よりも大きくすることができる。フィルタハウジング係合部分４１８により、ユーザーは、フィルタ組立体（例えば、フィルタ組立体１０、フィルタ組立体１００）を効率良く組み付けることができ、同時にフィルタ組立体の機能性を向上させることができる。
【００９６】
いくつかの実施構造が説明されているが、様々な修正を本開示の精神及び範囲から逸脱することなく行うことができることを理解されたい。従って、他の実施構造は、以下の特許請求項の範囲内である。例えば、特許請求の範囲に記載されたアクションは、異なる順序で実行することができ、それでも望ましい結果を得ることができる。
【符号の説明】
【００９７】
７５  フィルタハウジング
１２、１１２  濾材
１６、１１６  エンドキャップ
１８、１１８  付勢部分
１８D、１１８D  遠位端
１８P、１１８P  近位端
３８、１３８  第１の軸方向面
４０、１４０  第２の軸方向面
４８、１４８  半径方向外側面
【図１Ａ】
2020505223.tif 000003
【図１Ｂ】
2020505223.tif 000004
【図１Ｃ】
2020505223.tif 000005
【図２】
2020505223.tif 000006
【図３】
2020505223.tif 000007
【図４Ａ】
2020505223.tif 000008
【図４Ｂ】
2020505223.tif 000009
【図５Ａ】
2020505223.tif 000010
【図５Ｂ】
2020505223.tif 000011
【図６】
2020505223.tif 000012
【図７】
2020505223.tif 000013
【図８】
2020505223.tif 000014
【図９】
2020505223.tif 000015
【図１０】
2020505223.tif 000016
【図１１】
2020505223.tif 000017
【図１２Ａ】
2020505223.tif 000018
【図１２Ｂ】
2020505223.tif 000019
【図１３Ａ】
2020505223.tif 000020
【図１３Ｂ】
2020505223.tif 000021
【図１４】
2020505223.tif 000022
【図１５Ａ】
2020505223.tif 000023
【図１５Ｂ】
2020505223.tif 000024
【図１６】
2020505223.tif 000025
【国際調査報告】
2020505223.tif 000026
2020505223.tif 000027
2020505223.tif 000028